(57)【要約】【課題】建築物の構造に関わらず確実にシャッターが開閉し、性能が確保できるシャッター装置を提供することを目的とする。【解決手段】換気扇１のフレーム２と、フレーム２に軸設されるモータ３と、モータ３により回転するファン４と、通風ダクト部８ａに設けられるシャッター板９を備え、シャッター板９の左右端部には保持部１０がシャッター面１１に形成されており、この保持部１０の開孔で軸支するように保持軸１２が形成されている。保持軸１２はシャッター板９全開時に通風ダクト部８ａより飛び出さない位置に設けられており、シャッター板９は通風ダクト部８ａ内で動作し外に飛び出すことはないので室外側の建築構造物に動作が阻害されることがなく、性能を発揮することができる。【選択図】図１
2012180984.tif 000002
【特許請求の範囲】
【請求項１】
室内外を連通する垂直壁開口に設けられるダクトスリーブと前記ダクトスリーブに装着される室内から室外へ排気する換気扇と前記ダクトスリーブの通風ダクト部内壁から伸びる保持軸を中心に開閉するシャッター板を備え、前記保持軸を前記シャッター板全開時に前記シャッター板先端が前記通風ダクト部より飛び出さない位置に設けたことを特徴とするシャッター装置。
【請求項２】
シャッター板下端部から保持軸までの距離が、前記シャッター板上端部と前記保持軸との距離よりも長い構造であり、前記シャッター板上端部が接触する通風ダクト部内側の上リブに凸部を設け、前記シャッター板閉時は前記凸部で接触する構造としたことを特徴とする請求項１記載のシャッター装置。
【請求項３】
シャッター板の下端部に室内側に向かって折り曲げた折曲部を設けたことを特徴とする請求項１または２記載のシャッター装置。
【請求項４】
通風ダクト部内側の下リブより室外側の前記通風ダクト部側面に切り欠き部を設けた請求項３記載のシャッター装置。
【請求項５】
通風ダクト部を壁厚よりも長くし、前記通風ダクト部に室外側に向けて下り勾配を設けたことを特徴とする請求項１から４のいずれかに記載のシャッター装置。
【請求項６】
シャッターが接触する通風ダクト部内側の下リブの下端部をカットし、前記通風ダクト部後端に水抜き穴を設けた請求項５記載のシャッター装置。
【発明の詳細な説明】
【技術分野】
【０００１】
本発明は、送られてくる風が流入する側に接続される流入側接続口と、送られてきた風を流出させる側に接続される流出側接続口と、前記流出側接続口から侵入する外風を防止するシャッターを備えたシャッター装置に関する。
【背景技術】
【０００２】
従来、この種のシャッター装置は、送られてきた風を屋外に連通するダクトを介して排出する換気装置であって、シャッター装置が前記換気装置に具備されたものが知られている（例えば、特許文献１参照）。
【０００３】
以下、そのシャッター装置について図７および図８を参照しながら説明する。
【０００４】
図に示すように、送られてきた風が流入する流入側接続口１０１と送られてきた風を流出させる側に接続される流出側接続口１０２と外風防止用のシャッター１０４からなり、シャッター１０４を取付けるシャッター支持軸１０３を備えるダクトスリーブ１０５から構成される。このシャッター支持軸１０３は流出側接続口１０２内に対向位置して設けられ、シャッター１０４が回動可能に取り付けられているので、送られてきた風の風圧でシャッター１０４が押し開けられて通風し、流出側接続口１０２からの排気が可能となる。そして、送風がなくなると、シャッター１０４の自重で閉じて、外風の逆流を防ぐことができる。
【先行技術文献】
【特許文献】
【０００５】
【特許文献１】特開２００３−０６５５８１号公報
【発明の概要】
【発明が解決しようとする課題】
【０００６】
このような従来のシャッター装置においては、流出側接続部からシャッター支持軸までの距離がシャッター支持軸からシャッター下端までの距離よりも短く、シャッター開時にその一部がダクトスリーブから飛び出す構造となる。シャッター装置を建物内の縦シャフトを使用した換気に利用する場合がある。縦シャフトは換気ダクトとしての目的以外に水道管等のパイプスペースとして使用される場合があり、換気設備の設置スペースがどれだけ確保できるのか分からない場合がある。このような設置状況において水道管等の建築構造物が存在する場合、シャッターが構造物に接触し設計意図通りに開かなくなるという課題を有していた。
【０００７】
そこで本発明は、上記従来の課題を解決するものであり、建築物の構造に関わらず確実にシャッターが開閉し、性能が確保できるシャッター装置を提供することを目的とする。
【課題を解決するための手段】
【０００８】
本発明のシャッター装置は上記目的を達成するために、室内外を連通する垂直壁開口に設けられるダクトスリーブと前記ダクトスリーブに装着される室内から室外へ排気する換気扇と前記ダクトスリーブの通風ダクト部内壁から伸びる保持軸を中心に開閉するシャッター板を備え、前記保持軸を前記シャッター板全開時に前記シャッター板先端が前記通風ダクト部より飛び出さない位置に設けたことにより、所期の目的を達成する。すなわち、シャッター板は如何なる動作状況においても通風ダクト部内で動作し外に飛び出すことはないので、室外側の建築構造物にシャッター板が接触し、動作が阻害されることがなく性能を発揮できるという効果のあるシャッター装置が得られる。
【発明の効果】
【０００９】
室内外を連通する垂直壁開口に設けられるダクトスリーブと前記ダクトスリーブに装着される室内から室外へ排気する換気扇と前記ダクトスリーブの通風ダクト部内壁から伸びる保持軸を中心に開閉するシャッター板を備え、前記保持軸を前記シャッター板全開時に前記シャッター板先端が前記通風ダクト部より飛び出さない位置に設けたことにより、シャッター板は通風ダクトから外に飛び出すことがなく、室外側の建築構造物にシャッター板が接触し、動作が阻害されることがなく性能を発揮できる。
【図面の簡単な説明】
【００１０】
【図１】本発明の実施の形態１のシャッター装置の構成および形状を示す断面図
【図２】同シャッター装置の構成および形状を示す背面図
【図３】同シャッター装置の形状を示す部分断面図
【図４】本発明の実施の形態２の構成および形状を示す断面図
【図５】同シャッター装置の構成および形状を示す斜視図
【図６】本発明の実施の形態３の構成および形状を示す斜視図
【図７】従来のシャッター装置の構成および形状を示す構成図
【図８】同シャッター装置の構成および形状を示す正面図
【発明を実施するための形態】
【００１１】
本発明のシャッター装置は、室内外を連通する垂直壁開口に設けられるダクトスリーブと前記ダクトスリーブに装着される室内から室外へ排気する換気扇と前記ダクトスリーブの通風ダクト部内壁から伸びる保持軸を中心に開閉するシャッター板を備え、前記保持軸を前記シャッター板全開時に前記シャッター板先端が前記通風ダクト部より飛び出さない位置に設けたものである。
【００１２】
この手段により、シャッター板は如何なる動作状況においても通風ダクト部内で動作し外に飛び出すことはないので、室外側の建築構造物にシャッター板が接触し、動作が阻害されることがなく性能を発揮できるという効果のあるシャッター装置が得られる。
【００１３】
また、他の手段は、シャッター板下端部から保持軸までの距離が、前記シャッター板上端部と前記保持軸との距離よりも長い構造であり、前記シャッター板上端部が接触する通風ダクト部内側の上リブに凸部を設け、前記シャッター板閉時は前記凸部で接触する構造としたものである。
【００１４】
この手段により、シャッター板閉時、通風ダクト部との接触はシャッター板の上端部と凸部のみでの接触となる。また、シャッター板の下端と保持軸との距離よりもシャッター板の上端の方が短いためシャッター板が閉じるときの衝撃も小さくなり、シャッター板の閉鎖音が低減される。また、シャッター板は凸部のみの接触となるので、長期間運転しない場合でもシャッター板が通風ダクト部に固着し開閉不良になることを低減できるシャッター装置が得られる。
【００１５】
また、他の手段は、シャッター板の下端部に室内側に向かって折り曲げた折り曲げ部を設けた構造としたものである。
【００１６】
この手段により、シャッター板の下端部と支持軸との水平方向距離を短くすることができるので通風ダクト部の長さが短くなり製品サイズの小さいシャッター装置がえられる。
【００１７】
また、他の手段は、通風ダクト部内側の下リブより室外側の前記通風ダクト部側面に切り欠き部を設けた構造としたものである。
【００１８】
この手段により、シャッター板の開く角度が小さい場合でも通風ダクト部側面の切り欠き部より排気されるので抵抗を受けることなく性能を確保できるシャッター装置が得られる。
【００１９】
また、他の手段は、通風ダクト部を壁厚よりも長くし、前記通風ダクト部に室外側に向けて下り勾配を設けた構造としたものである。
【００２０】
この手段により、換気扇または通風ダクト部で発生した結露水または湿度を含んだ空気を壁面に接触させずに屋外に排出することができるので、結露水または湿気が壁面に付着して腐食させることがないというシャッター装置が得られる。
【００２１】
また、他の手段は、シャッター板が接触する通風ダクト部内側の下リブの下端部をカットし、前記通風ダクト部後端に水抜き穴を設けた構造としたものである。
【００２２】
この手段により、通風ダクト部内側に付着した結露水は通風ダクト下端部に集まり、勾配により室外側に流れ、カットした下リブを通り水抜き穴から室外に排出されることとなり、効果的に結露水を室外側に排出できるシャッター装置が得られる。
【００２３】
以下、本発明の実施の形態について図面を参照しながら説明する。
【００２４】
（実施の形態１）
図１に示すように汚染空気の逆流防止を目的としてシャッター装置を建物内の縦シャフト２１を使用した換気に利用する場合がある。縦シャフト２１は換気ダクトとしての目的以外に水道管２２等のパイプスペースとして使用される場合があり、換気設備の設置スペースがどれだけ確保できるのか分からない場合がある。
【００２５】
シャッター装置について図１〜図３で説明する。換気装置としての換気扇１は本体の外郭および通風路を構成するフレーム２と、フレーム２に取り付けられたモータ３と、このモータ３に軸設されたファン４と、フレーム２の通風入口側に設けられたルーバー５にて構成される。  ルーバー５には吸込口６が形成されている。換気扇１は吸込口６から吸引するものであり、室内外を連通する垂直壁開口７に設けられるダクトスリーブ８の通風ダクト部８ａに挿入されていて、この通風ダクト部８ａの下流部分には、シャッター板９が配置されている。
【００２６】
シャッター板９の左右端部には中心部を開孔した保持部１０がシャッター面１１から立ち上がるように形成されており、この保持部１０の開孔で軸支するように左右の通風ダクト部８ａの内壁にも突き出した保持軸１２が形成されている。保持軸１２から通風ダクト部８ａ後端までの距離は、保持軸１２からシャッター板９下端までの距離よりも長くなっており、保持軸１２はシャッター板９全開時にシャッター板９先端が通風ダクト部８ａより飛び出さない位置に設けられている。シャッター板９の保持部１０を保持軸１２に嵌めると、シャッター面１１の左右部が軸支部となり、この軸支部を結ぶ線を回動軸１３としてシャッター板９は回動するようにしてある。
【００２７】
回動軸１３はシャッター中心線１４よりも上方に設けられている。また、通風ダクト部８ａの内壁には通風の下流側に上リブ１５と通風の上流側に下リブ１６が設けられている。これら、上リブ１５と下リブ１６はともにシャッター面１１の外周部が円弧状に当接するように、通風ダクト部８ａの円筒内壁に円弧状に形成されたものである。上リブ１５のシャッター板９が当接する面に凸部１７を設け、さらに上リブ１５は回動軸１３よりも通風上流側に形成されている。そして、下リブ１６は回動軸１３よりも通風下流側に形成されている。つまり、シャッター板９は軸支されており、また回動軸１３がシャッター中心線１４よりも上側にあるので、回動軸１３よりも上側のシャッター上面１１ａの面積は回動軸１３よりも下側のシャッター下面１１ｂの面積よりも小さい。即ち、シャッター上面１１ａよりもシャッター下面１１ｂのほうが重く、回動軸１３と上リブ１５および下リブ１６との位置関係から、通風がない状態ではシャッター板９の自重によりシャッター面１１が上リブ１５および下リブ１６に当接した状態で保持され、シャッター板９が閉じた状態となる。なお、回動軸１３は水平方向から傾けることで、シャッター板９の自重によりシャッター面１１が上リブ１５および下リブ１６に当接しているときの接触力を調節することができるとともに、送風圧を受けてシャッター板９が開くときの回動力を高めることができる。
【００２８】
上記構成において、換気扇１を運転すると、ファン４が回転して吸込口６から空気が吸引され、フレーム２にて整流されて通風ダクト部８ａ内に送風する。この通風は、通風ダクト部８ａ内の下流側に設けられたシャッター板９に当たり、自重により閉じていたシャッター板９が回動軸１３を中心に回動し、シャッター板９を水平方向に開く。このとき、シャッターは如何なる動作状況においても通風ダクト部８ａ内で動作し外に飛び出すことはないので、縦シャフト２１内にある水道管２２等の建築構造物にシャッター板９が接触し、動作が阻害されることがなくどのような施工条件下においても性能を発揮することができる。
【００２９】
また、シャッター板９が閉じるとき通風ダクト部８ａとの接触がシャッター板９の上端と凸部１７のみの接触となること、シャッター板９の下端と保持軸１２との距離よりもシャッター板９の上端の方が短いためシャッター板９が閉じるときの衝撃も小さいことからシャッター板９の閉鎖音が低減される。
【００３０】
また、シャッター板９は凸部１７のみの接触となるので長期間運転しない場合でもシャッター板９が通風ダクト部の上リブ１５、下リブ１６に固着し開閉不良になることを低減できる。
【００３１】
（実施の形態２）
図４、図５に示すようにシャッター板９の下端部に室内側に向かって折り曲げた折り曲げ部１８を設けた構造とする。また、通風ダクト部８ａ内側の下リブ１６より室外側の通風ダクト部８ａ側面に切り欠き部１９を設けた構造とする。
【００３２】
上記構成において、換気扇１を運転すると、実施の形態１と同様にシャッター板９が回動軸１３を中心に回動し、シャッター板９を水平方向に開く。シャッター板９の先端は室内側に折れ曲がっていることからシャッター板９の下端部と保持軸１２との水平方向距離を短くすることができ、通風ダクト部８ａの長さを短くできるので製品の小型化が図れ、コストも低減でき、縦シャフト２１の空間が小さい場合でも施工できる。
【００３３】
また、ファン４の回転により生じた通風はシャッター板９に当たり下方向に流れを変える。通風ダクト部８ａ内側の下リブ１６より室外側の通風ダクト部８ａ側面に切り欠き部１９を設けることにより、下方向に流れを変えた通風がスムーズに排気されることによりシャッター板９の開きが小さくても風量性能が確保できる。すなわち、通風ダクト部８ａの長さをより短くできるのでさらなる製品の小型化、コスト低減、施工性の向上が図れる。
【００３４】
（実施の形態３）
図４、図６に示すように通風ダクト部８ａを壁厚よりも長くし、通風ダクト部８ａに室外側に向けて下り勾配を設けた構造とし、シャッター板９が接触する通風ダクト部８ａ内側の下リブ１６の下端部をカットし、通風ダクト部８ａ後端に水抜き穴２０を設ける。
【００３５】
上記構成において、換気扇１または通風ダクト部８ａで発生した結露水または湿度を含んだ空気を壁面に接触させずに屋外に排出することができる。また、通風ダクト部８ａ内側に付着した結露水はダクト下端部に集まり、勾配により室外側に流れ、カットした下リブ１６を通り水抜き穴２０から室外に排出されるので結露水または湿気が壁面に付着して腐食させることがなく、効果的に結露水を室外側に排出できる。
【産業上の利用可能性】
【００３６】
屋内と屋外を連通する換気または空調機能をもつ装置及び換気、送風、空調を目的に使用する外風防止用シャッターを要する機器を対象に適用することができる。
【符号の説明】
【００３７】
１      換気扇
２      フレーム
３      モータ
４      ファン
５      ルーバー
６      吸込口
７      垂直壁開口
８      ダクトスリーブ
８ａ    通風ダクト部
９      シャッター板
１０    保持部
１１    シャッター面
１１ａ  シャッター上面
１１ｂ  シャッター下面
１２    保持軸
１３    回動軸
１４    シャッター中心線
１５    上リブ
１６    下リブ
１７    凸部
１８    折り曲げ部
１９    切り欠き部
２０    水抜き穴
２１    縦シャフト
２２    水道管
【図１】
2012180984.tif 000003
【図２】
2012180984.tif 000004
【図３】
2012180984.tif 000005
【図４】
2012180984.tif 000006
【図５】
2012180984.tif 000007
【図６】
2012180984.tif 000008
【図７】
2012180984.tif 000009
【図８】
2012180984.tif 000010